(57)【要約】【課題】  コンテンツデータを表示する表示装置の処理負荷を低減させる。【解決手段】  表示装置３００と、表示装置３００と通信可能な情報端末２００と、を含む再生システム１００であって、コンテンツデータに含まれるプロパティ情報に基づいて、該コンテンツデータの撮影方向と該コンテンツデータを表示装置３００において再生するときの表示方向とが一致するか否かを判定する画像処理要否判定部２１７と、画像処理要否判定部２１７により判定されたコンテンツデータのうち、判定結果に応じて画像処理されたコンテンツデータについて、前記プロパティ情報に含まれる該コンテンツデータの撮影方向を示す情報を変更するプロパティ情報変更部２１９と、を有し、前記プロパティ情報が変更されたコンテンツデータを含む、前記判定されたコンテンツデータを、表示装置３００において再生することを特徴とする。【選択図】図４
2015043492.tif 000002
【特許請求の範囲】
【請求項１】
表示装置と、該表示装置と通信可能な情報端末と、を含む再生システムであって、
コンテンツデータに含まれるプロパティ情報に基づいて、該コンテンツデータの撮影方向と該コンテンツデータを前記表示装置において再生するときの表示方向とが一致するか否かを判定する判定手段と、
前記判定手段により判定されたコンテンツデータのうち、判定結果に応じて画像処理されたコンテンツデータについて、前記プロパティ情報に含まれる該コンテンツデータの撮影方向を示す情報を変更する変更手段と、を有し、
前記プロパティ情報が変更されたコンテンツデータを含む、前記判定されたコンテンツデータを、前記表示装置において再生することを特徴とする再生システム。
【請求項２】
表示装置と、再生制御プログラムと、を含む再生制御システムであって、
前記再生制御プログラムは、前記表示装置と通信する情報端末のコンピュータに、
コンテンツデータに含まれるプロパティ情報に基づいて、該コンテンツデータの撮影方向と該コンテンツデータを前記表示装置において再生するときの表示方向とが一致するか否かを判定する判定手順と、
前記判定手順において判定されたコンテンツデータのうち、判定結果に応じて画像処理されたコンテンツデータについて、前記プロパティ情報に含まれる該コンテンツデータの撮影方向を示す情報を変更する変更手順と、を実行させ、
前記プロパティ情報が変更されたコンテンツデータを含む、前記判定されたコンテンツデータを、前記表示装置において再生することを特徴とする再生制御システム。
【請求項３】
表示装置と通信可能な情報端末であって、
コンテンツデータに含まれるプロパティ情報に基づいて、該コンテンツデータの撮影方向と該コンテンツデータを前記表示装置において再生するときの表示方向とが一致するか否かを判定する判定手段と、
前記判定手段により判定されたコンテンツデータのうち、判定結果に応じて画像処理されたコンテンツデータについて、前記プロパティ情報に含まれる該コンテンツデータの撮影方向を示す情報を変更する変更手段と、
前記プロパティ情報が変更されたコンテンツデータを含む、前記判定されたコンテンツデータを、前記表示装置に送信する送信手段と
を有することを特徴とする情報端末。
【請求項４】
表示装置であって、
コンテンツデータに含まれるプロパティ情報に基づいて、該コンテンツデータの撮影方向と該コンテンツデータを前記表示装置において再生するときの表示方向とが一致するか否かを判定する判定手段と、
前記判定手段により判定されたコンテンツデータのうち、判定結果に応じて画像処理されたコンテンツデータについて、前記プロパティ情報に含まれる該コンテンツデータの撮影方向を示す情報を変更する変更手段と、を有し、
前記プロパティ情報が変更されたコンテンツデータを含む、前記判定されたコンテンツデータを再生することを特徴とする表示装置。
【請求項５】
表示装置と通信可能な情報端末のコンピュータに、
コンテンツデータに含まれるプロパティ情報に基づいて、該コンテンツデータの撮影方向と該コンテンツデータを前記表示装置において再生するときの表示方向とが一致するか否かを判定する判定手順と、
前記判定手順において判定されたコンテンツデータのうち、判定結果に応じて画像処理されたコンテンツデータについて、前記プロパティ情報に含まれる該コンテンツデータの撮影方向を示す情報を変更する変更手順と、
前記プロパティ情報が変更されたコンテンツデータを含む、前記判定されたコンテンツデータを、前記表示装置に送信する送信手順と
を実行させることを特徴とする再生制御プログラム。
【請求項６】
前記判定手順は、
前記コンテンツデータの撮影方向と、前記表示装置において前記コンテンツデータを再生するときの表示方向とが一致する場合に、該コンテンツデータに対する画像処理は不要であると判定し、一致しない場合には、該コンテンツデータに対する画像処理が必要であると判定することを特徴とする請求項５に記載の再生制御プログラム。
【請求項７】
前記変更手順は、
前記コンテンツデータの撮影方向と、前記表示装置において前記コンテンツデータを再生するときの表示方向とが、一致していることを示す情報に変更することを特徴とする請求項６に記載の再生制御プログラム。
【請求項８】
表示装置のコンピュータに、
コンテンツデータに含まれるプロパティ情報に基づいて、該コンテンツデータの撮影方向と該コンテンツデータを前記表示装置において再生するときの表示方向とが一致するか否かを判定する判定手順と、
前記判定手順において判定されたコンテンツデータのうち、判定結果に応じて画像処理されたコンテンツデータについて、前記プロパティ情報に含まれる該コンテンツデータの撮影方向を示す情報を変更する変更手順と、を実行させ、
前記プロパティ情報が変更されたコンテンツデータを含む、前記判定されたコンテンツデータを再生することを特徴とする再生プログラム。
【請求項９】
表示装置と、該表示装置と通信可能な情報端末と、を含む再生システムによる再生方法であって、
コンテンツデータに含まれるプロパティ情報に基づいて、該コンテンツデータの撮影方向と該コンテンツデータを前記表示装置において再生するときの表示方向とが一致するか否かを判定する判定手順と、
前記判定手順において判定されたコンテンツデータのうち、判定結果に応じて画像処理されたコンテンツデータについて、前記プロパティ情報に含まれる該コンテンツデータの撮影方向を示す情報を変更する変更手順と、を有し、
前記プロパティ情報が変更されたコンテンツデータを含む、前記判定されたコンテンツデータを、前記表示装置において再生することを特徴とする再生方法。
【発明の詳細な説明】
【技術分野】
【０００１】
本発明は、再生制御技術に関するものであり、特に、再生システム、再生制御システム、情報端末、表示装置、再生制御プログラム、再生プログラム、再生制御方法及び再生方法に関するものである。
【背景技術】
【０００２】
従来より、画像データ等のコンテンツデータを情報端末から表示装置へと送信し、表示装置にて当該コンテンツデータを表示する再生制御技術が知られている。
【０００３】
更に、コンテンツデータを表示装置にて表示するにあたり、コンテンツデータの上下方向と表示装置の表示画面の上下方向とが一致するように、予めコンテンツデータの向きを変更する再生制御技術も知られている（例えば、特許文献１参照）。当該特許文献１によれば、ユーザに対して、見やすい表示を提供することができる。
【発明の概要】
【発明が解決しようとする課題】
【０００４】
しかしながら、上記特許文献１の場合、コンテンツデータを表示するたびに、コンテンツデータの向きを変更する必要があり、表示時の表示装置の処理負荷が高いという問題がある。
【０００５】
特に、情報端末から送信されたコンテンツデータを、表示装置にて繰り返し表示する場合においては、このような問題がより顕著となる。
【０００６】
本発明は、上記事情を鑑みてこれを解決すべくなされたものであり、コンテンツデータを表示する表示装置の処理負荷を低減させることを目的とする。
【課題を解決するための手段】
【０００７】
本発明は、上記目的を達成すべく以下の如き構成を採用した。即ち、
表示装置と、該表示装置と通信可能な情報端末と、を含む再生システムであって、
コンテンツデータに含まれるプロパティ情報に基づいて、該コンテンツデータの撮影方向と該コンテンツデータを前記表示装置において再生するときの表示方向とが一致するか否かを判定する判定手段と、
前記判定手段により判定されたコンテンツデータのうち、判定結果に応じて画像処理されたコンテンツデータについて、前記プロパティ情報に含まれる該コンテンツデータの撮影方向を示す情報を変更する変更手段と、を有し、
前記プロパティ情報が変更されたコンテンツデータを含む、前記判定されたコンテンツデータを、前記表示装置において再生することを特徴とする。
【発明の効果】
【０００８】
本発明の実施形態によれば、コンテンツデータを表示する表示装置の処理負荷を低減させることが可能になる。
【図面の簡単な説明】
【０００９】
【図１】実施形態に係る再生システムのシステム構成の一例を示す図である。
【図２】実施形態に係る再生システムの利用シーンの一例を説明する図である。
【図３】実施形態に係る再生システムが有する各装置のハードウェア構成の一例を示す図である。
【図４】実施形態に係る再生システムが有する各装置の機能構成の一例を示す図である。
【図５】コンテンツデータのデータ構造の一例を示す図である。
【図６】コンテンツデータのプロパティ情報とコンテンツデータの撮影方向との関係を説明するための図である。
【図７】実施形態に係る情報端末の表示画面の一例を示す図である。
【図８】実施形態に係る再生システムにおける再生処理の流れを説明するシーケンス図である。
【図９】画像処理及びプロパティ情報変更処理の処理内容を説明するための図である。
【図１０】実施形態に係る再生システムにおける再生処理の流れを説明する他のシーケンス図である。
【図１１】実施形態に係る再生システムが有する各装置の機能構成の他の一例を示す図である。
【図１２】実施形態に係る再生システムにおける再生処理の流れを説明する他のシーケンス図である。
【図１３】実施形態に係る再生システムにおける再生処理の流れを説明する他のシーケンス図である。
【図１４】実施形態に係る再生システムにおける再生処理の流れを説明する他のシーケンス図である。
【発明を実施するための形態】
【００１０】
以下、図面を参照しながら、本発明の各実施形態について説明する。なお、以下の各実施形態に係る再生制御技術は、例えば、情報端末と表示装置とを有する再生システムにおいて実現される。具体的には、情報端末が、コンテンツデータの再生に関する情報である再生制御情報を生成したうえで、コンテンツデータとともに表示装置に送信し、表示装置が当該再生制御情報に基づいてコンテンツデータを再生する再生システムにおいて実現される。以下、当該再生システムについて詳説したうえで、当該再生システムにおいて実現される各実施形態に係る再生制御技術の詳細について説明する。
【００１１】
［第１の実施形態］
＜再生システムのシステム構成＞
はじめに、本実施形態に係る再生制御技術が実現される再生システムのシステム構成について説明する。図１は、本実施形態に係る再生システム１００のシステム構成の一例を示す図である。
【００１２】
再生システム１００は、情報端末２００と表示装置３００とを有する。再生システム１００において、情報端末２００と表示装置３００とはネットワーク等のデータ伝送路Ｎを介して通信可能に接続されている。
【００１３】
情報端末２００は、例えば３Ｇ（3rd Generation）、ＬＴＥ（Long Term Evolution）、４Ｇ（4th Generation）等の規格に準ずる通信方式により通信を行うよう構成されている。ただし、情報端末２００は、例えばＺｉｇＢｅｅやＢｌｕｅｔｏｏｔｈ（登録商標）等に準ずる通信方式により通信を行うよう構成されていてもよい。
【００１４】
情報端末２００は、例えばスマートフォンや携帯電話等の無線通信端末であっても、あるいはタブレットＰＣ（Personal Computer）やノート型ＰＣであってもよく、表示装置３００と通信を行うことができる機器であれば何でもよい。
【００１５】
情報端末２００には、本実施形態に係る再生制御プログラム２１０がインストールされている。情報端末２００は、再生制御プログラム２１０を実行することにより、表示装置３００に表示するコンテンツデータについて再生制御情報を生成し、コンテンツデータとともに表示装置３００に送信する。
【００１６】
本実施形態に係る表示装置３００には、再生プログラム３１０がインストールされている。表示装置３００は、再生プログラム３１０を実行することにより、情報端末２００から送信されたコンテンツデータを、再生制御情報に基づいて表示する。
【００１７】
表示装置３００は、情報端末２００から送信された再生制御情報に基づいてコンテンツデータを表示する表示機能を有していればよく、例えばプロジェクタやディスプレイ等の機器であればよい。
【００１８】
なお、本実施形態の説明では、表示装置３００が再生制御情報にしたがってコンテンツデータを表示することを、コンテンツデータを再生する、と表現する。
【００１９】
また、本実施形態の説明におけるコンテンツデータには、例えば、画像（静止画）データや動画データ等が含まれる。また、コンテンツデータとなる画像データは、例えば１枚の画像からなる画像データであってもよいし、複数枚の画像からなる画像データ群であってもよい。すなわち、本実施形態の説明におけるコンテンツデータは、表示装置３００にて再生させることが可能なデータであればよい。
【００２０】
なお、以下の説明では、表示装置３００にて再生されるコンテンツデータを再生コンテンツデータと呼び、それ以外の、例えば所定の記憶領域に格納されているコンテンツデータを単にコンテンツデータと呼ぶ。
【００２１】
＜再生システムの利用シーンの説明＞
次に、図２を参照しながら、再生システム１００の利用シーンについて説明する。図２は、再生システム１００の利用シーンの一例を説明する図である。
【００２２】
図２の例では、情報端末２００としてスマートフォン又はタブレットＰＣを用い、表示装置３００としてプロジェクタ３０１とスクリーン３０２とを用いた再生システム１００が示されている。なお、当該再生システム１００は、例えば電子看板（Digital Signage）として利用することができる。
【００２３】
情報端末２００では、ユーザにより、コンテンツデータが選択されると、再生コンテンツデータを生成する。また、再生コンテンツデータの再生方法が設定されると、当該設定に基づき、再生コンテンツデータについての再生制御情報を生成する。そして情報端末２００では、再生コンテンツデータと再生制御情報とをプロジェクタ３０１に送信する。プロジェクタ３０１は、受信した再生コンテンツデータを記憶部３２（後述）に格納し、再生制御情報に従って再生コンテンツデータを再生する。
【００２４】
このように、再生システム１００によれば、ユーザは、再生コンテンツデータと再生制御情報とを、１度、情報端末２００から表示装置３００に送信しさえすれば、当該再生コンテンツデータを所望の設定通りに継続して再生させることができる。
【００２５】
すなわち、再生システム１００を電子看板等に利用した場合、所望する再生コンテンツデータが所望する再生方法で自動的に再生されるため、ユーザは再生コンテンツデータの表示順序や表示の切り替え等に関する設定を、その都度行う必要がなくなる。
【００２６】
＜再生システムのハードウェア構成＞
次に図３を参照して再生システム１００が有する各装置のハードウェア構成を説明する。図３は、再生システム１００が有する各装置（情報端末２００、表示装置３００）のハードウェア構成の一例を示す図である。
【００２７】
本実施形態に係る情報端末２００は、ＣＰＵ（Central Processing Unit）２１、記憶部２２、入力部２３、外部インターフェース部２４、ネットワーク制御部２５、出力部２６、ドライバ２７を有する。なお、これらの要素はバスＢ１を介して相互に接続されている。
【００２８】
ＣＰＵ２１は、情報端末２００の各種動作を制御するコンピュータである。記憶部２２は、情報端末２００の動作や演算に係る各種情報、情報端末２００で実行される、再生制御プログラム２１０をはじめとする各種プログラム、コンテンツデータ等を格納する。入力部２３は、各種信号や情報を入力するために用いられる。入力部２３は、例えばタッチパネル等の表示機能を有していてもよい。なお、入力部２３は、例えばポインティングデバイスやキーボード等であってもよい。
【００２９】
外部インターフェース部２４は、例えばＵＳＢ（Universal Serial Bus）メモリスロットやＮＦＣ（Near field communication）等である。ネットワーク制御部２５は、モデム、ＬＡＮカード等を含み、ネットワークに接続するために用いられる。
【００３０】
出力部２６は、情報端末２００から外部に各種情報を出力するために用いられる。出力部２６は、例えばディスプレイ等であってもよいし、外部装置へ各種データを送信する送信部であってもよい。
【００３１】
なお、本実施形態に係る再生制御プログラム２１０は、情報端末２００を制御する各種プログラムの少なくとも一部であり、例えば、記録媒体２８の配布やネットワークからのダウンロードなどによって提供される。
【００３２】
ここで、再生制御プログラム２１０が格納された記録媒体２８は、表示装置３００と組み合わせ、再生制御システムとしてユーザに提供されてもよい。あるいは、表示装置３００とは別個に（つまり、再生制御プログラム２１０が格納された記録媒体２８のみが単独で、あるいは再生制御プログラムのみが単独でダウンロードされることで）ユーザに提供されてもよい。無論、情報端末２００にはじめからインストールされた状態で、情報端末２００として、ユーザに提供されてもよい。
【００３３】
再生制御プログラム２１０を記録した記録媒体２８には、ＣＤ−ＲＯＭ、フレキシブルディスク、光磁気ディスク等のように情報を光学的，電気的或いは磁気的に記録する記録媒体を用いることができる。あるいは、ＲＯＭ、フラッシュメモリ等のように情報を電気的に記録する半導体メモリ等の記録媒体を用いることができる。
【００３４】
再生制御プログラム２１０を記録した記録媒体２８がドライバ２７にセットされると、再生制御プログラム２１０は記録媒体２８からドライバ２７を介して記憶部２２にインストールされる。また、ネットワークからダウンロードされる場合にあっては、再生制御プログラム２１０は、ネットワーク制御部２５を介して記憶部２２にインストールされる。
【００３５】
記憶部２２は、インストールされた再生制御プログラム２１０をはじめとする各種プログラムを格納すると共に、必要なファイル、データ等を格納する。ＣＰＵ２１は記憶部２２に格納された再生制御プログラム２１０に従って、後述するような各種処理（画像処理やプロパティ情報の変更処理等、再生システム１００において再生処理を実現するために必要な情報端末２００における処理）を実現する。
【００３６】
表示装置３００は、それぞれがバスＢ２を介して相互に接続されているＣＰＵ３１、記憶部３２、入力部３３、外部インターフェース部３４、ネットワーク制御部３５、表示部３６、ドライバ３７を有する。
【００３７】
ＣＰＵ３１は、表示装置３００の各種動作を制御するコンピュータである。記憶部３２は、表示装置３００の動作や演算に係る各種情報や、表示装置３００で実行される再生プログラム３１０をはじめとする各種プログラム、表示装置３００で再生される再生コンテンツデータ等を格納する。入力部３３は、各種信号や情報を入力するために用いられる。入力部３３は、例えば表示装置３００を操作する操作部材等である。
【００３８】
外部インターフェース部３４は、例えば、ＵＳＢ（Universal Serial Bus）メモリスロットやＮＦＣ（Near field communication）等である。ネットワーク制御部３５は、表示装置３００のネットワークへの接続を制御する。表示部３６は、表示装置３００が情報端末２００より再生指示された再生コンテンツデータを再生する。
【００３９】
再生プログラム３１０は、表示装置３００を制御する各種プログラムの少なくとも一部である。再生プログラム３１０は、例えば、記録媒体３８の配布やネットワークからのダウンロードなどによって提供される。
【００４０】
再生プログラム３１０を記録した記録媒体３８がドライバ３７にセットされると、再生プログラム３１０は記録媒体３８からドライバ３７を介して記憶部３２にインストールされる。また、ネットワークからダウンロードされた場合にあっては、再生プログラム３１０は、ネットワーク制御部３５を介して記憶部３２にインストールされる。
【００４１】
記憶部３２は、インストールされた再生プログラム３１０を格納するとともに、必要なファイルや再生コンテンツデータ等のデータを格納する。ＣＰＵ３１は記憶部３２に格納された再生プログラム３１０に従って、後述するような各種処理（再生システム１００において再生処理を実現するために必要な表示装置３００における処理）を実現する。
【００４２】
＜再生システムの機能構成＞
次に、図４を参照して、再生システム１００が有する各装置（情報端末２００、表示装置３００）の機能構成について説明する。図４は、再生システム１００が有する各装置（情報端末２００、表示装置３００）の機能構成の一例を示す図である。
【００４３】
本実施形態に係る情報端末２００は、記憶部２２に所定の記憶領域２２０が設けられている。記憶領域２２０には、例えば、コンテンツデータ２２１と、設定項目情報２２２とが格納されている。なお、記憶領域２２０は、必ずしも記憶部２２に設けられている必要はなく、また、情報端末２００ないに設けられている必要もない。
【００４４】
コンテンツデータ２２１は、例えば、表示装置３００にて再生することが可能なデータであり、例えば画像（静止画）データや動画データ等である。設定項目情報２２２は、再生制御情報を生成するにあたり、ユーザにより設定される項目を示す情報である。なお、コンテンツデータ２２１の詳細は後述する。
【００４５】
情報端末２００は、表示制御部２１１、入力受付部２１２、再生制御情報生成部２１３、画像処理部２１４、送信部２１５を有する。
【００４６】
表示制御部２１１は、情報端末２００の出力部２６（ディスプレイ等）に、記憶領域２２０に格納されたコンテンツデータ２２１の識別情報の一覧画面を表示する。また、再生コンテンツデータ３３１として選択されたコンテンツデータの識別情報の一覧画面を表示する。あるいは、設定項目情報２２２に含まれる各項目の値をユーザに設定させるための設定画面を表示する。
【００４７】
入力受付部２１２は、コンテンツデータ２２１の識別情報の一覧画面において、コンテンツデータ２２１を選択するための選択操作を受け付ける。本実施形態に係る情報端末２００の場合、当該一覧画面に対する選択操作を介して選択されたコンテンツデータ２２１が、表示装置３００で再生される再生コンテンツデータ３３１として、表示装置３００へと送信される。また、入力受付部２１２は、設定項目情報２２２に含まれる各項目の値を設定させるための設定画面を介して、ユーザからの設定値の入力を受け付ける。
【００４８】
再生制御情報生成部２１３は、再生コンテンツデータに含まれる情報に基づき、再生制御情報３３２を生成する。再生制御情報３３２には、例えば、再生コンテンツデータとして選択された各コンテンツデータ２２１の再生順序や再生時間、表示の切り替え方等に関する情報が含まれる。再生制御情報３３２に含まれる複数の項目のうち、所定の項目には、設定画面においてユーザにより入力された設定値が設定される。所定の項目とは、例えば、コンテンツデータ２２１の再生順序や再生時間、表示の切り替え方であってもよい。なお、ユーザにより入力された設定値は、設定テーブル２１６に保持される。
【００４９】
画像処理部２１４は、再生コンテンツデータとして選択されたコンテンツデータ２２１に対して画像処理を行う。画像処理部２１４は、画像処理要否判定部２１７と、回転処理部２１８と、プロパティ情報変更部２１９とを含む。
【００５０】
画像処理要否判定部２１７は、再生コンテンツデータとして選択されたコンテンツデータ２２１のうち、画像処理が必要なコンテンツデータを判定する。具体的には、再生コンテンツデータとして選択されたコンテンツデータの撮影時の撮影方向と、表示装置３００による表示方向とが一致していないコンテンツデータを、画像処理が必要なコンテンツデータと判定する。
【００５１】
回転処理部２１８は、画像処理要否判定部２１７において画像処理が必要であると判定されたコンテンツデータに対して、画像処理を行う。具体的には、画像処理要否判定部２１７による判定結果に応じて、当該コンテンツデータが撮影された際の撮影方向と、表示装置３００による表示方向とが一致するように、コンテンツデータを回転させる画像処理を行う。
【００５２】
プロパティ情報変更部２１９は、回転処理部２１８によりコンテンツデータを回転させる画像処理が行われたコンテンツデータのプロパティ情報を変更する変更処理を行う。具体的には、コンテンツデータに含まれるプロパティ情報のうち、コンテンツデータが撮影された際の撮影方向を示す情報を変更する変更処理を行う。
【００５３】
送信部２１５は、再生コンテンツデータ３３１と、生成された再生制御情報３３２とを表示装置３００に送信する。
【００５４】
表示装置３００は、保存制御部３１１、検証部３１２、通知部３１３を有する。また、表示装置３００は、表示部３６に対する表示を制御する表示制御部３２０を有する。
【００５５】
さらに、表示装置３００は、情報端末２００から送信された再生コンテンツデータ３３１と再生制御情報３３２とを格納する記憶領域３３０を有する。
【００５６】
保存制御部３１１は、情報端末２００から送信された再生コンテンツデータ３３１と再生制御情報３３２とを記憶領域３３０に格納する。また、保存制御部３１１は、情報端末２００から再生コンテンツデータ３３１の再生指示を受けると、再生制御情報３３２に含まれる各項目の設定値を表示装置３００に設定する。
【００５７】
検証部３１２は、再生コンテンツデータ３３１が表示装置３００において再生可能か否かを検証する。通知部３１３は、検証部３１２による検証結果を情報端末２００に通知する。
【００５８】
表示制御部３２０は、記憶領域３３０より再生コンテンツデータ３３１を読み出し、設定された再生制御情報３３２に基づいて再生コンテンツデータ３３１を再生するよう制御する。
【００５９】
表示制御部３２０により再生コンテンツデータ３３１を再生するにあたっては、再生コンテンツデータ３３１の撮影方向を識別し、回転処理の要否を判定することで、必要に応じて回転処理を行う。つまり、表示制御部３２０にも、画像処理要否判定部２１７及び回転処理部２１８に相当する機能が含まれている。ただし、本実施形態に係る再生システム１００では、表示装置３００の表示制御部３２０においてこれらの機能が実行されることがないように、情報端末２００の画像処理部２１４が機能する。
【００６０】
したがって、本実施形態に係る再生システム１００の場合、表示装置３００の表示制御部３２０では、再生コンテンツデータ３３１を再生するにあたり、回転処理の要否を判定した場合、常に、回転処理が不要と判定されることとなる。
【００６１】
＜コンテンツデータのデータ構造＞
次に、コンテンツデータ２２１のデータ構造について説明する。図５はコンテンツデータ２２１のデータ構造の一例を示す図である。なお、図５の例は、コンテンツデータ２２１がデジタルスチルカメラ等により撮影された静止画データであって、ＪＰＥＧ（Joint Photographic Experts Group）圧縮データとして格納された場合のデータ構造を示している。なお、ＪＰＥＧ圧縮データのデータ構造は公知であるため詳細な説明は割愛し、ここでは再生システム１００における再生処理（詳細は後述）と関連する部分を中心に説明する。
【００６２】
図５に示すように、ＪＰＥＧ圧縮データとして格納されたコンテンツデータ２２１は、圧縮データ５００と、圧縮データ５００以外の情報であるプロパティ情報５１０とを含む。
【００６３】
プロパティ情報５１０には、複数のマーカ・セグメントが含まれており、このうち、"ＡＰＰ１"５１１には、撮影時の条件情報が埋め込まれている。
【００６４】
"ＡＰＰ１"５１１は、更に、参照番号５２０に示す詳細構造を有しており、"０ｔｈ  ＩＦＤ"５２１には、圧縮データ５００に関する付属情報として、撮影時の撮影方向に関する情報が記載されている。
【００６５】
＜プロパティ情報に含まれる撮影方向に関する情報についての説明＞
次に、コンテンツデータ２２１のプロパティ情報５１０に含まれる、撮影時の撮影方向に関する情報について説明する。図６は、プロパティ情報５１０に含まれる、撮影時の撮影方向に関する情報を説明するための図であり、撮影方向に関する情報と画像の向きとの対応関係を模式的に示したものである。
【００６６】
図６に示すように、ＪＰＥＧ圧縮データの場合、撮影方向に関する情報には、少なくとも"１"〜"８"の数字が設定される。
【００６７】
撮影方向に関する情報＝"１"とは、図６の画像６０１に示すように、０番目の行が目で見たときの画像の上（visual top）、０番目の列が左側（visual left-hand side）となる向きを示している。
【００６８】
撮影方向に関する情報＝"２"とは、図６の画像６０２に示すように、０番目の行が目で見たときの画像の上、０番目の列が右側（visual right-hand side）となる向きを示している。
【００６９】
撮影方向に関する情報＝"３"とは、図６の画像６０３に示すように、０番目の行が目で見たときの画像の下（visual bottom）、０番目の列が右側となる向きを示している。
【００７０】
撮影方向に関する情報＝"４"とは、図６の画像６０４に示すように、０番目の行が目で見たときの画像の下、０番目の列が左側となる向きを示している。
【００７１】
撮影方向に関する情報＝"５"とは、図６の画像６０５に示すように、０番目の行が目で見たときの画像の左側、０番目の列が上となる向きを示している。
【００７２】
撮影方向に関する情報＝"６"とは、図６の画像６０６に示すように、０番目の行が目で見たときの画像の右側、０番目の列が上となる向きを示している。
【００７３】
撮影方向に関する情報＝"７"とは、図６の画像６０７に示すように、０番目の行が目で見たときの画像の右側、０番目の列が下側となる向きを示している。
【００７４】
撮影方向に関する情報＝"８"とは、図６の画像６０８に示すように、０番目の行が目で見たときの画像の左側、０番目の列が下となる向きを示している。
【００７５】
このように、撮影方向に関する情報は、行と列の観点から見た画像の向きを、１〜８の値で表現している。換言すると、撮影方向に関する情報として記載されている値を参照することにより、当該コンテンツデータ２２１を撮影した際の撮影方向を識別することができる。
【００７６】
そこで、本実施形態に係る再生システム１００では、表示装置３００の表示制御部３２０により再生コンテンツデータの再生が行われるまでの間に、再生コンテンツデータが撮影された際の撮影方向を識別する。そして、識別した撮影方向と、表示装置３００による表示方向とが一致するように、再生コンテンツデータを回転させる画像処理を行う。これにより、ユーザにとって見やすい再生コンテンツデータを表示装置３００にて再生させることができる。
【００７７】
また、このとき、画像処理が行われた再生コンテンツデータは、撮影方向に関する情報が変更されるとともに、記憶領域３３０に格納される。このため、表示装置３００の表示制御部３２０では、再生コンテンツデータの再生にあたり、画像処理を行う必要がなくなり、再生時の処理負荷が低減されることとなる。
【００７８】
＜情報端末に表示される表示画面の説明＞
次に、再生コンテンツデータを選択する際に情報端末２００に表示される表示画面について説明する。図７は、情報端末２００に表示される表示画面の一例を示す図である。
【００７９】
図７に示すように、表示画面７００は、記憶領域２２０に格納されたコンテンツデータ２２１の識別情報の一覧が表示される表示領域７１０を有する。また、表示領域７１０において再生コンテンツデータ３３１として選択されたコンテンツデータの識別情報の一覧が表示される表示領域７２０を有する。
【００８０】
なお、コンテンツデータの識別情報とは、コンテンツデータを識別するための表示情報であり、例えば、コンテンツデータのサムネイル画像や、コンテンツデータのファイル名等が含まれる。以下では、コンテンツデータの識別情報として、コンテンツデータのサムネイル画像が用いられるものとして説明する。
【００８１】
図７は、表示画面７００の表示領域７１０に表示されたコンテンツデータ２２１のサムネイル画像の一覧から、サムネイル画像２２１ａ及び２２１ｂに対応するコンテンツデータが選択された例を示している。選択されたコンテンツデータは、再生コンテンツデータ３３１として、表示領域７２０にそのサムネイル画像２２１ａ'、２２１ｂ'が表示される。また、表示領域７１０のサムネイル画像２２１ａ、２２１ｂには、選択されたことを示すチェックマーク等が重ねて表示される。
【００８２】
本実施形態では、表示領域７２０に表示された順序にしたがって、対応するコンテンツデータ２２１が再生される。すなわち、図７の再生コンテンツデータ３３１では、サムネイル画像２２１ａ'、２２１ｂ'の順序で、対応するコンテンツデータが再生される。
【００８３】
表示領域７２０に表示されるサムネイル画像の表示順序は、例えば、表示領域７１０においてコンテンツデータ２２１が選択された順序であってもよい。なお、表示領域７２０に表示されたサムネイル画像の表示順序は、ユーザが任意に変更することができるものとする。
【００８４】
＜再生システムにおける再生処理の流れ＞
次に図８を参照して、再生システム１００における再生処理の流れを説明する。図８は、再生システム１００における再生処理の流れを示すシーケンス図である。
【００８５】
情報端末２００では、ユーザより、コンテンツデータ２２１のサムネイル画像の一覧表示の要求を受けると（ステップＳ８０１）、表示制御部２１１が、格納されたコンテンツデータ２２１のサムネイル画像の一覧を表示領域７１０に表示する。また、再生コンテンツデータとして選択されるコンテンツデータのサムネイル画像を一覧表示するための表示領域７２０を表示する（ステップＳ８０２）。
【００８６】
続いて情報端末２００では、入力受付部２１２が、コンテンツデータ２２１を選択するための選択操作を受け付ける（ステップＳ８０３）。なお、入力受付部２１２が受け付けた選択操作により選択されたコンテンツデータは、表示制御部２１１により、そのサムネイル画像が表示領域７２０に一覧表示される。
【００８７】
本実施形態に係る情報端末２００では、ユーザがコンテンツデータ２２１を選択するための選択操作を終了するまでステップＳ８０３の処理を繰り返す。ステップＳ８０３で選択されたコンテンツデータ２２１は、情報端末２００により再生コンテンツデータ３３１として認識される。
【００８８】
続いて情報端末２００では、表示制御部２１１が、設定項目情報２２２を参照し、設定項目情報２２２に含まれる項目の設定画面を表示する（ステップＳ８０４）。
【００８９】
続いて情報端末２００では、入力受付部２１２が、設定画面を介してユーザにより入力された各項目の設定値を受け付ける（ステップＳ８０５）。入力された各項目の設定値は、設定テーブル２１６において、該当する項目と対応付けて保持される。
【００９０】
続いて情報端末２００では、ユーザより、再生コンテンツデータ３３１の再生要求を受け付けると（ステップＳ８０６）、再生制御情報生成部２１３が、再生制御情報３３２を生成する（ステップＳ８０７）。具体的には、ユーザより再生要求を受け付けると、再生制御情報生成部２１３が、設定テーブル２１６に格納された各項目の設定値を所定のフォーマットに代入することで再生制御情報３３２を生成する。
【００９１】
続いて情報端末２００では、送信部２１５が、再生制御情報３３２を表示装置３００に送信する（ステップＳ８０８）。
【００９２】
表示装置３００では、情報端末２００から再生制御情報３３２を受信すると、保存制御部３１１が、再生制御情報３３２を記憶領域３３０に格納する（ステップＳ８０９）。
【００９３】
続いて情報端末２００では、画像処理部２１４が、再生コンテンツデータ３３１として選択された各コンテンツデータの撮影方向を識別することで、回転処理の要否を判定する。更に、回転処理が必要であると判定したコンテンツデータについて回転処理を行う（ステップＳ８１０）。
【００９４】
更に、画像処理部２１４では、回転処理を行ったコンテンツデータのプロパティ情報を変更する（ステップＳ８１１）。
【００９５】
続いて、情報端末２００では、送信部２１５が、再生コンテンツデータ３３１として選択された各コンテンツデータを表示装置３００に送信する（ステップＳ８１２）。
【００９６】
表示装置３００では、保存制御部３１１が、受信した再生コンテンツデータ３３１を記憶領域３３０に格納する（ステップＳ８１３）。
【００９７】
本実施形態に係る情報端末２００では、再生コンテンツデータ３３１として選択された全てのコンテンツデータが記憶領域３３０に格納されるまで、ステップＳ８１０〜Ｓ８１３の処理を繰り返す。
【００９８】
再生コンテンツデータ３３１として選択された全てのコンテンツデータについてステップＳ８１０〜Ｓ８１３の処理が完了すると、ステップＳ８１４に進む。ステップＳ８１４では、表示装置３００の通知部３１３が、記憶領域３３０への再生コンテンツデータ３３１の格納（アップロード）を完了したことを情報端末２００へ通知する。
【００９９】
情報端末２００では、この通知を受けると、表示装置３００に対して再生コンテンツデータ３３１の再生指示を送信する（ステップＳ８１５）。表示装置３００では、情報端末２００からの再生指示を受信すると、再生制御情報３３２に従った再生コンテンツデータ３３１の再生が実行されるよう、保存制御部３１１が、再生制御情報３３２に含まれる各項目の設定値を表示装置３００内に設定する。
【０１００】
また、表示装置３００では、再生指示を受信すると、検証部３１２が、再生制御情報３３２に従った再生コンテンツデータ３３１の再生を実行することができるか否かを検証する（ステップＳ８１６）。
【０１０１】
ステップＳ８１６における検証が終了すると、通知部３１３では、検証部３１２による検証結果を情報端末２００に通知する（ステップＳ８１７）。具体的には、再生コンテンツデータ３３１が再生可能であることが検証された場合、通信が成功したことを情報端末２００に通知する。通知部３１３からの通知を受信すると、情報端末２００では、検証結果を表示する（ステップＳ８１８）。
【０１０２】
また、通知部３１３では、再生コンテンツデータ３３１の再生が実行不可能であることが検証された場合、通信に失敗したことを情報端末２００に通知する。
【０１０３】
表示装置３００では、例えば通信に失敗した場合に、再生コンテンツデータ３３１の再送を促すメッセージを情報端末２００に表示させる。
【０１０４】
ステップＳ８１８に続いて表示装置３００では、表示制御部３２０が、記憶領域３３０から再生コンテンツデータ３３１を読み出し、設定された再生制御情報３３２に従って再生する（ステップＳ８１９、Ｓ８２０）。
【０１０５】
＜画像処理及びプロパティ情報変更処理の詳細＞
次に、再生システム１００における再生処理のうち、ステップＳ８１０及びステップＳ８１１において示した、情報端末２００による画像処理及びプロパティ情報の変更処理の詳細について図９を用いて説明する。
【０１０６】
図９（ａ）は、情報端末２００による画像処理及びプロパティ情報の変更処理の流れを示すフローチャートである。ユーザからの再生要求（ステップＳ８０６）を受け付け、再生制御情報３３２を生成したのち（ステップＳ８０７）、当該再生制御情報３３２の表示装置３００への送信が終了すると（ステップＳ８０８）、情報端末２００では、図９（ａ）に示す処理を開始する。
【０１０７】
ステップＳ９０１では、画像処理要否判定部２１７が、再生コンテンツデータ３３１として選択されたコンテンツデータを記憶領域２２０より１つずつ読み出す。ステップＳ９０２では、画像処理要否判定部２１７が、ステップＳ９０１において読み出したコンテンツデータの撮影方向を識別する。具体的には、コンテンツデータのプロパティ情報に含まれる撮影方向に関する情報を識別する。
【０１０８】
ステップＳ９０３では、画像処理要否判定部２１７が、ステップＳ９０２において識別した、撮影方向に関する情報に基づいて、コンテンツデータの回転処理の要否を判定する。具体的には、撮影方向に関する情報が、"１"であるか否かを判定し、"１"であれば、回転処理を行う必要がないと判定する。一方、撮影方向に関する情報が、"１"でない場合には、回転処理を行う必要があると判定する。
【０１０９】
ステップＳ９０３において、回転処理を行う必要がないと判定された場合には、ステップＳ９０６に進む。
【０１１０】
一方、ステップＳ９０３において、回転処理を行う必要があると判定された場合には、ステップＳ９０４に進み、回転処理部２１８が、ステップＳ９０２において識別した、撮影方向に関する情報に応じて、コンテンツデータを回転させる画像処理を行う。具体的には、コンテンツデータの撮影方向と、表示装置３００による表示方向とが一致するように、コンテンツデータ（圧縮データ５００）を回転させる。更に、ステップＳ９０５では、プロパティ情報変更部２１９が、撮影方向に関する情報を"１"に変更する。
【０１１１】
図９（ｂ）は、ステップＳ９０４及びステップＳ９０５における処理を模式的に示した一例であり、左側は、処理前のコンテンツデータを示しており、右側は、処理後のコンテンツデータを示している。
【０１１２】
図９（ｂ）に示すように、コンテンツデータを表示する際の表示方向に対して、時計回りに９０度回転していたコンテンツデータは、ステップＳ９０４において、反時計回りに９０度回転される。これにより、コンテンツデータの撮影方向が表示装置３００の表示方向と一致することとなる。また、撮影方向に関する情報として"６"が記載されていたところ、ステップＳ９０５における処理により、"１"に変更される。これにより、当該コンテンツデータを受信した表示装置３００では、表示方向に合わせて回転処理を行う必要がないと判定することができる。
【０１１３】
ステップＳ９０６では、再生コンテンツデータ３３１として選択された全てのコンテンツデータについて、ステップＳ９０１からステップＳ９０５までの処理を実行したか否かを判定する。ステップＳ９０６において、未だ、ステップＳ９０１からステップＳ９０５までの処理を実効していないコンテンツデータがあると判定された場合には、ステップＳ９０１に戻る。
【０１１４】
一方、ステップＳ９０６において、再生コンテンツデータ３３１として選択された全てのコンテンツデータについて、ステップＳ９０１からステップＳ９０５までの処理を実行したと判定された場合には、図９（ａ）に示す処理を終了する。
【０１１５】
＜まとめ＞
以上の説明から明らかなように、本実施形態に係る再生システム１００では、
・情報端末２００に、画像処理要否判定部２１７を配し、再生コンテンツデータ３３１として選択された各コンテンツデータを表示装置３００にて表示させるにあたり、回転処理を行う必要があるか否かを判定する構成とした。
・画像処理要否判定部２１７において、回転処理を行う必要があると判定されたコンテンツデータについては、回転処理を行うとともに、プロパティ情報に含まれる撮影方向に関する情報を変更する構成とした。
【０１１６】
これにより、表示装置３００では、再生コンテンツデータを再生するにあたり、回転処理を行う必要がないと判断することができる。
【０１１７】
このように、表示装置３００において回転処理を行う必要がないため、本実施形態に係る再生システム１００によれば、再生コンテンツデータを再生する際の、表示装置３００における処理負荷を低減させることが可能となる。
【０１１８】
特に、本実施形態に係る再生システム１００のように、情報端末２００より送信された再生コンテンツデータ３３１を、表示装置３００にて繰り返し再生を行う場合にあっては、その効果が顕著になる。つまり、表示装置３００が再生コンテンツデータを読み出すたびに回転処理を行うといった事態を回避することができるため、表示装置における処理負荷がより低減されることとなる。
【０１１９】
［第２の実施形態］
上記第１の実施形態では、ユーザにより再生要求が入力されてから、情報端末が再生コンテンツデータを表示装置に送信するまでの間に、画像処理（ステップＳ８１０）とプロパティ情報の変更処理とを実行する構成としたが、本発明はこれに限定されない。
【０１２０】
例えば、ユーザが、再生コンテンツデータ３３１としてコンテンツデータを選択するたびに、当該画像処理及びプロパティ情報の変更処理を実行するように構成してもよい。
【０１２１】
図１０は、本実施形態に係る再生システム１００における再生処理の流れを示すシーケンス図である。図１０に示す各処理のうち、図８において説明済みの処理については、同じ参照番号を付すこととし、ここでは説明を省略する。以下では、図８との相違点を中心に説明する。
【０１２２】
ステップＳ８０３において、入力受付部２１２がコンテンツデータ２２１を選択するための選択操作を受け付けると、ステップＳ１００１に進む。ステップＳ１００１では、画像処理部２１４が当該選択操作を受け付けたコンテンツデータの撮影方向を識別することで、回転処理の要否を判定する。更に、回転処理が必要と判定したコンテンツデータについて回転処理を行う。
【０１２３】
更に、画像処理部２１４では、回転処理を行ったコンテンツデータのプロパティ情報を変更する（ステップＳ１００２）。
【０１２４】
本実施形態に係る情報端末２００では、これらの処理（ステップＳ８０３、Ｓ１００１、Ｓ１００２の処理）を、ユーザがコンテンツデータ２２１を選択するための選択操作を終了するまで繰り返す。
【０１２５】
なお、本実施形態に係る情報端末２００の場合、ステップＳ１００１及びＳ１００２の処理が行われたコンテンツデータは、記憶領域２２０において、上書きして格納されることなく、所定の記憶領域に一時的に格納される。すなわち、記憶領域２２０に格納されているコンテンツデータが、再生コンテンツデータ３３１として選択されたことに伴って影響を受けることはない。
【０１２６】
ただし、表示領域７２０に表示されるサムネイル画像に対しては、ステップＳ１００１の処理に応じて、回転処理を行うように構成してもよい。再生コンテンツデータ３３１として選択されたコンテンツデータに対して、回転処理が行われたことをユーザが確認することができるからである。
【０１２７】
以上の説明から明らかなように、本実施形態に係る再生システム１００では、
・再生コンテンツデータ３３１として選択された各コンテンツデータについての回転処理の要否の判定、回転処理、ならびに、プロパティ情報の変更処理を、コンテンツデータに対する選択操作が行われるごとに実行する構成とした。
・回転処理の結果を、再生コンテンツデータ３３１を表示する表示領域７２０に反映させる構成とした。
【０１２８】
これにより、本実施形態によれば、上記第１の実施形態による効果に加え、更に、ユーザが再生要求を行ってから、表示装置３００にてアップロードが完了するまでの処理時間を短縮させることが可能となる。更に、ユーザは、再生コンテンツデータとして選択したコンテンツデータの表示装置３００における表示方向を、情報端末２００の表示領域７２０に表示されたサムネイル画像を介して確認することが可能となる。
【０１２９】
［第３の実施形態］
上記第１の実施形態では、ユーザにより再生要求が入力されてから、情報端末が再生コンテンツデータを表示装置に送信するまでの間に、情報端末２００にて画像処理とプロパティ情報の変更処理とを実行する構成としたが、本発明はこれに限定されない。
【０１３０】
例えば、情報端末２００から表示装置３００に再生コンテンツデータが送信された後、当該再生コンテンツデータを記憶領域３３０に格納するまでの間に、表示装置３００にて、当該画像処理及びプロパティ情報の変更処理を実行するように構成してもよい。
【０１３１】
＜再生システムの機能構成＞
はじめに、本実施形態に係る再生システム１１００が有する各装置（情報端末１１２０、表示装置１１３０）の機能構成について説明する。本実施形態に係る再生システム１１００では、画像処理及びプロパティ情報の変更処理を行うための機能が、表示装置３００側に配されている。
【０１３２】
図１１は、再生システム１１００が有する各装置（情報端末１１２０、１１３０）の機能構成の一例を示す図である。図１１に示す各要素のうち、図４と同様の機能を有する要素については同じ参照番号を付すこととし、ここでは説明を省略する。以下、図４との相違点を中心に説明する。
【０１３３】
図１１に示すように、本実施形態に係る情報端末１１２０では、再生コンテンツデータに対して、画像処理及びプロパティ情報の変更処理を行わないため、画像処理部２１４が配されていない。
【０１３４】
一方、表示装置１１３０では、再生コンテンツデータに対して、画像処理及びプロパティ情報の変更処理を行うため、画像処理部１１３４が配されている。画像処理部１１３４は、図４に示した画像処理部２１４と同様、画像処理要否判定部１１３７と、回転処理部１１３８と、プロパティ情報変更部１１３９とを有する。なお、画像処理部１１３４が有する各部の機能は、図４の画像処理部２１４が有する画像処理要否判定部２１７、回転処理部２１８、プロパティ情報変更部２１９と同じであるため、ここでは説明を省略する。
【０１３５】
＜再生システムにおける再生処理の流れ＞
次に、本実施形態に係る再生システム１１００における再生処理の流れについて説明する。図１２は、本実施形態に係る再生システム１１００における再生処理の流れを示すシーケンス図である。図１２に示す各処理のうち、図８において説明済みの処理については、同じ参照番号を付すこととし、ここでは説明を省略する。以下では、図８との相違点を中心に説明する。
【０１３６】
ステップＳ８１２において、情報端末１１２０の送信部２１５が、再生コンテンツデータ３３１として選択された各コンテンツデータを表示装置１１３０に送信すると、表示装置１１３０では、これを受信する。
【０１３７】
再生コンテンツデータ３３１として選択されたコンテンツデータを受信した表示装置１１３０では、画像処理部１１３４が、当該受信したコンテンツデータの撮影方向を識別することで、回転処理の要否を判定する。更に、回転処理が必要であると判定したコンテンツデータについて回転処理を行う（ステップＳ１２０１）。
【０１３８】
更に、画像処理部１１３４では、回転処理を行ったコンテンツデータのプロパティ情報を変更する（ステップＳ１２０２）。回転処理が行われ、プロパティ情報の変更が行われたコンテンツデータは、保存制御部３１１が、記憶領域３３０に格納する（ステップＳ８１３）。
【０１３９】
本実施形態に係る表示装置３００では、再生コンテンツデータ３３１として選択された全てのコンテンツデータが記憶領域３３０に格納されるまで、ステップＳ８１２、Ｓ１２０１、Ｓ１２０２、Ｓ８１３の処理を繰り返す。
【０１４０】
＜まとめ＞
以上の説明から明らかなように、本実施形態に係る再生システム１１００では、
・再生コンテンツデータ３３１として選択された各コンテンツデータについての回転処理の要否の判定、回転処理、ならびに、プロパティ情報の変更処理を、各コンテンツデータが表示装置にて受信されるごとに実行する構成とした。
・記憶領域３３０には、回転処理及びプロパティ情報の変更処理が行われたコンテンツデータを格納する構成とした。
【０１４１】
これにより、本実施形態によれば、上記第１の実施形態による効果に加え、更に、ユーザが再生要求を行ってから、再生制御情報及び再生コンテンツデータが表示装置に向けて送信されるまでの時間を短縮させることが可能になるという効果を享受することができる。
【０１４２】
［第４の実施形態］
上記第１の実施形態では、ユーザにより再生要求が入力されてから、情報端末が再生コンテンツデータを表示装置に向けて送信するまでの間に、情報端末にて画像処理とプロパティ情報の変更処理とを実行する構成としたが、本発明はこれに限定されない。
【０１４３】
例えば、再生制御情報及び再生コンテンツデータのアップロードが完了してから、再生コンテンツデータが表示装置において再生されるまでの間に、表示装置にて、当該画像処理及びプロパティ情報の変更処理を実行する構成としてもよい。
【０１４４】
＜再生システムの機能構成＞
本実施形態に係る再生システムが有する各装置の機能構成は、上記第３の実施形態で図１１を用いて説明した再生システム１１００が有する各装置の機能構成と同様であるため、ここでは説明を省略する。
【０１４５】
＜再生システムにおける再生処理の流れ＞
次に、再生システム１１００において実行される、本実施形態の再生処理の流れについて説明する。図１３は、再生システム１１００において実行される、本実施形態の再生処理の流れを示すシーケンス図である。図１３に示す各処理のうち、図８において説明済みの処理については、同じ参照番号を付すこととし、ここでは説明を省略する。以下では、図８との相違点を中心に説明する。
【０１４６】
ステップＳ８１５において情報端末２００より再生指示を受信すると、表示装置３００では、画像処理部１１３４が、記憶領域３３０に格納された再生コンテンツデータ３３１を読み出す（ステップＳ１３０１）。そして、再生コンテンツデータ３３１として選択されている各コンテンツデータの撮影方向を識別することで、回転処理の要否を判定し、回転処理が必要であると判定したコンテンツデータについて回転処理を行う（ステップＳ１３０２）。
【０１４７】
更に、画像処理部１１３４では、回転処理を行ったコンテンツデータのプロパティ情報を変更する（ステップＳ１３０３）。回転処理が行われ、プロパティ情報の変更処理が行われたコンテンツデータは、保存制御部３１１が、記憶領域３３０に上書きして格納する。
【０１４８】
本実施形態に係る表示装置３００では、記憶領域３３０に格納され、再生コンテンツデータ３３１として選択されている全てのコンテンツデータが、記憶領域３３０に上書きして格納されるまで、ステップＳ１３０１〜Ｓ１３０４の処理を繰り返す。
【０１４９】
以上の説明から明らかなように、本実施形態に係る再生システム１１００では、
・再生コンテンツデータ３３１として選択されている各コンテンツデータについての回転処理の要否の判定、回転処理及びプロパティ情報の変更処理を、再生コンテンツデータ３３１を記憶領域３３０に格納してから、再生に用いるまでの間に実行する構成とした。
・記憶領域３３０には、回転処理及びプロパティ情報の変更処理が行われたコンテンツデータを上書きして格納する構成とした。
【０１５０】
これにより、本実施形態によれば、上記第１の実施形態による効果に加え、更に、ユーザが再生要求を行ってから、表示装置３００によるアップロード完了の通知を受信するまでの処理時間を短縮させることが可能になるという効果を享受することができる。
【０１５１】
［第５の実施形態］
上記第１の実施形態では、ユーザにより再生要求が入力されてから、情報端末が再生コンテンツデータを表示装置に送信するまでの間に、情報端末２００にて画像処理とプロパティ情報の変更処理とを実行する構成としたが、本発明はこれに限定されない。
【０１５２】
例えば、再生コンテンツデータの１回目の再生時に、表示装置側において、当該画像処理及びプロパティ情報の変更処理を実行しておき、２回目以降の再生時における表示装置の処理負荷を低減させる構成としてもよい。
【０１５３】
＜再生システムの機能構成＞
本実施形態に係る再生システムが有する各装置の機能構成は、上記第３の実施形態で図１１を用いて説明した再生システム１１００が有する各装置の機能構成と同様であるため、ここでは説明を省略する。
【０１５４】
＜再生システムにおける再生処理の流れ＞
次に、再生システム１１００において実行される、本実施形態の再生処理の流れについて説明する。図１４は、再生システム１１００において実行される、本実施形態の再生処理の流れを示すシーケンス図である。図１４に示す各処理のうち、図８において説明済みの処理については、同じ参照番号を付すこととして、ここでは説明を省略する。以下では、図８との相違点を中心に説明する。
【０１５５】
ステップＳ８１７において、通知部３１３が、検証結果を情報端末１１２０に通知すると、画像処理部１１３４では、記憶領域３３０に格納されている、再生コンテンツデータ３３１を読み出す（ステップＳ１４０１）。そして、再生コンテンツデータ３３１として選択されている各コンテンツデータの撮影方向を識別することで、回転処理の要否を判定し、回転処理が必要であると判定したコンテンツデータについて回転処理を行う（ステップＳ１４０２）。
【０１５６】
更に画像処理部１１３４では、回転処理を行ったコンテンツデータのプロパティ情報を変更する（ステップＳ１４０３）。回転処理が行われ、プロパティ情報の変更処理が行われたコンテンツデータは、保存制御部３１１が、記憶領域３３０に上書きして格納する（ステップＳ１４０４）。また、表示制御部３２０が再生制御情報３３２に従って再生する（ステップＳ１４０５）。
【０１５７】
本実施形態に係る情報端末２００では、再生コンテンツデータ３３１として選択されている全てのコンテンツデータが記憶領域３３０に上書きして格納されるまで、ステップＳ１４０１〜Ｓ１４０５までの処理を繰り返す。
【０１５８】
なお、記憶領域３３０に格納されていた再生コンテンツデータ３３１が、１回、再生されることで、再生コンテンツデータ３３１として選択されている各コンテンツデータの撮影方向は、全て、表示装置３００による表示方向と一致することとなる。このため、ステップＳ８１９、ステップＳ８２０において、再生コンテンツデータ３３１の２回目以降の再生を行う場合にあっては、表示装置３００において、回転処理及びプロパティ情報の変更処理を行う必要がない。このため、本実施形態によれば、２回目以降の再生コンテンツデータの再生処理における表示装置１１３０の処理負荷を低減させることが可能となる。
【０１５９】
＜まとめ＞
以上の説明から明らかなように、本実施形態に係る再生システム１１００では、
・再生コンテンツデータ３３１として選択された各コンテンツデータについての回転処理の要否の判定、回転処理、ならびに、プロパティ情報の変更処理を、各コンテンツデータの１回目の再生の際に実行する構成とした。
・記憶領域３３０には、回転処理及びプロパティ情報の変更処理が行われたコンテンツデータを上書きして格納する構成とした。
【０１６０】
これにより、本実施形態によれば、上記第１の実施形態による効果に加え、更に、ユーザが再生要求を行ってから、実際に再生コンテンツデータが１回目に再生されるまでの処理時間を短縮させることが可能になるという効果を享受することができる。
【０１６１】
［その他の実施形態］
上記第１乃至第５の実施形態では、コンテンツデータがＪＰＥＧ圧縮データとして格納されている場合について説明したが、本発明はこれに限定されない。コンテンツデータの撮影方向と、表示装置において該コンテンツデータを再生するときの表示方向とが一致するか否かを識別することができる情報が含まれていれば、他の形式により格納されていてもよい。
【０１６２】
また、上記第１乃至第５の実施形態では、画像処理を行ったコンテンツデータについて、そのプロパティ情報に含まれる撮影方向に関する情報を"１"に変更する構成としたが、本発明はこれに限定されない。画像処理を行ったコンテンツデータを表示する際に、当該コンテンツデータについての画像処理が不要であることを認識できる情報であれば、何でもよい。また、撮影方向に関する情報または撮影方向に関する情報を含むプロパティ情報の一部を削除するようにしてもよい。
【０１６３】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１６４】
１００    再生システム
２００    情報端末
２１０    再生制御プログラム
２１１    表示制御部
２１２    入力受付部
２１３    再生制御情報生成部
２１４    画像処理部
２１５    送信部
２１６    設定テーブル
２１７    画像処理要否判定部
２１８    回転処理部
２１９    プロパティ情報変更部
２２０    記憶領域
２２１    コンテンツデータ
２２２    設定項目情報
３００    表示装置
３１０    再生プログラム
３１１    保存制御部
３１２    検証部
３１３    通知部
３２０    表示制御部
３３０    記憶領域
３３１    再生コンテンツデータ
３３２    再生制御情報
５００    圧縮データ
５１０    プロパティ情報
１１００  再生システム
１１２０  情報端末
１１３０  表示装置
１１３４  画像処理部
１１３７  画像処理要否判定部
１１３８  回転処理部
１１３９  プロパティ情報変更部
【先行技術文献】
【特許文献】
【０１６５】
【特許文献１】特開２００５−３４０９１８号公報
【図１】
2015043492.tif 000003
【図２】
2015043492.tif 000004
【図３】
2015043492.tif 000005
【図４】
2015043492.tif 000006
【図５】
2015043492.tif 000007
【図６】
2015043492.tif 000008
【図７】
2015043492.tif 000009
【図８】
2015043492.tif 000010
【図９】
2015043492.tif 000011
【図１０】
2015043492.tif 000012
【図１１】
2015043492.tif 000013
【図１２】
2015043492.tif 000014
【図１３】
2015043492.tif 000015
【図１４】
2015043492.tif 000016